(57)【要約】【課題】画面障害を起こすことなく輝度の向上を図れるカラー受像管を得るために有効な蛍光体スクリーンの形成方法を提供する。【解決手段】光源２２から射出される光を、複数の開孔９と前記開孔同士間のブリッジ１０とを有する複数の孔列が配設された色選別電極５の前記開孔９を通過させて露光することにより、フェースパネル２に略ストライプ状の蛍光体ラインを形成する、蛍光体スクリーンの形成方法において、前記フェースパネル２に照射される光は、前記ブリッジ１０と対向する箇所において光量分布２６が最も高い。【選択図】　図１
2004031183.tif 000002
【特許請求の範囲】
【請求項１】
光源から射出される光を、複数の開孔と前記開孔同士間のブリッジとを有する複数の孔列が配設された色選別電極の前記開孔を通過させて露光することにより、フェースパネルに略ストライプ状の蛍光体ラインを形成する、蛍光体スクリーンの形成方法において、前記フェースパネルに照射される光は、前記ブリッジと対向する箇所において光量分布が最も高いことを特徴とする蛍光体スクリーンの形成方法。
【請求項２】
前記光源が、前記蛍光体ラインにほぼ平行な方向に複数配置されている請求項１記載の蛍光体スクリーンの形成方法。
【請求項３】
前記光源が、ランプとスリット板とからなる請求項１または２のいずれかに記載の蛍光体スクリーンの形成方法。
【請求項４】
前記ランプが複数である請求項３記載の蛍光体スクリーンの形成方法。
【請求項５】
前記スリット板のスリット孔が複数である請求項３記載の蛍光体スクリーンの形成方法。
【請求項６】
前記光源が、前記フェースパネルと前記色選別電極に対して相対的に前記蛍光体ラインとほぼ平行な方向に並ぶ２箇所に、順次一定時間毎に配置される請求項１記載の蛍光体スクリーンの形成方法。
【発明の詳細な説明】
【０００１】
【発明の属する技術分野】
本発明は、テレビジョン受像機やコンピュータモニタに用いられるカラー受像管に関するもので、特にその蛍光体スクリーンの形成方法に関する。
【０００２】
【従来の技術】
一般的なカラー受像管の概略断面図を図７に示す。
【０００３】
カラー受像管１は、内面に蛍光体スクリーン２ａが形成されたフェースパネル２と、これと接合されたファンネル３とから外囲器が構成され、外囲器内には、蛍光体スクリーン２ａと対向する色選別電極５とこれを支持するフレーム６が、スプリング（図示せず）を介してフェースパネル２の内壁に設けられたパネルピン（図示せず）に保持されており、さらに、ファンネル３のネック部３ａに電子銃４が備えられている。カラー受像管の動作時には、電子銃４から３本の電子ビーム７（ここでは重なって１本に見えている）が射出され、電子ビーム７は、ファンネル３の外部に備えられた偏向ヨーク８によって偏向走査されながら色選別電極５に形成された多数の開孔を通過して蛍光体スクリーンに到達する。
【０００４】
図８は、一般的なカラー受像管の色選別電極と蛍光体スクリーンの様子をモデル的に示した図である。色選別電極５には、複数の略スロット型の開孔９とその間のブリッジ１０からなる孔列１１が複数形成されており、また、蛍光体スクリーン１２には、各孔列毎に青、緑、赤のほぼ一定幅の蛍光体ライン１３ｂ、１３ｇ、１３ｒがストライプ状に配列されている。カラー受像管の動作時には、３本の電子ビームが開孔９を通過して蛍光体スクリーン１２へ到達すると、通過ビーム１４ｂ、１４ｇ、１４ｒによって蛍光体ライン１３ｂ、１３ｇ、１３ｒが照射され、その照射部分が発光することで画像が映し出される。
【０００５】
このような蛍光体スクリーンを形成するための従来の方法について説明する。蛍光体スクリーンの蛍光体ラインの形成は、カラー受像管を組み立てる前のフェースパネルを露光装置に載置した状態で行われる。図９に示すように、フェースパネル２の中心線上に配置された一つの光源１５（注：緑色の蛍光体ラインを形成する場合である。青色または赤色の蛍光体ラインを形成する際はフェースパネルと光源との相対的位置を若干ずらすため中心線からずれる。）から出射した光が、露光レンズ系１６やフィルター１７および色選別電極５の開孔を通過し、フェースパネル２に到達すると、あらかじめフェースパネル２の内面に形成されていた感光膜が露光され硬化し、これを現像すると感光膜による仮ラインが形成される。その後、さらに黒色導電材料を塗布および乾燥後、感光膜をエッチング除去することで仮ラインのあった場所が溝状ラインとなる。この溝状ラインの上に蛍光体を混合した感光材料を塗布および乾燥後、再度、露光および現像を行うことで蛍光体ラインが形成される。
【０００６】
図１０は、後に蛍光体ラインと置き換わる仮ラインを露光する光についてイメージ的に示した部分拡大断面図である。図中では、矢印Ａの方向が、形成される仮ラインと平行な方向である。ランプ１８とスリット板１９とから構成される光源１５から放出される光は、色選別電極５の開孔９ａ、９ｂを通過する部分と、開孔９ａ、９ｂ間のブリッジ１０により遮蔽される部分とがあるため、フェースパネルに到達した光は、破線で示した分布２０ａと２０ｂとの合成となり、実線で示す分布２１のような光量分布を有することになる。このままで露光を行うと、仮ラインはブリッジと対向する箇所で光量が不足してこの部分だけ極端に幅の狭い状態に形成されるが、通常は、ここで、フェースパネルまたは色選別電極を矢印Ａの方向にほぼ一定の速度である距離だけ往復揺動させながら露光を行っており、このようにすることにより、仮ラインおよび蛍光体ラインは、ほぼ均一な幅に形成されている。
【０００７】
【発明が解決しようとする課題】
しかしながら、従来のカラー受像管では、次のような課題を有している。
【０００８】
カラー受像管の動作時に電子ビームが色選別電極の開孔を通過して蛍光体ラインを照射する際、ブリッジが蛍光体ライン上で影となり、非発光部が生じ、その分、画面全体の輝度ロスが生じる。非発光部を少なくするためには単純にブリッジの数を減らすことが考えられるが、このようにすると、蛍光面に投影されるブリッジの影が人間の目で視認されやすくなるため、非発光部が暗い線となって縞模様として見えたり、また、モアレ現象と呼ばれる走査線とブリッジの影との干渉縞が見られるといった画面障害が生じてしまう。このようなことから、従来、カラー受像管の画面の輝度を向上させるには限界があった。
【０００９】
本発明は、このような課題を解決するためになされたものであり、画面障害を起こすことなく輝度の向上を図れるカラー受像管を得るために有効な蛍光体スクリーンの形成方法を提供する。
【００１０】
【課題を解決するための手段】
上記課題を解決するために、本発明の蛍光体スクリーンの形成方法では、光源から射出される光を、複数の開孔と前記開孔同士間のブリッジとを有する複数の孔列が配設された色選別電極の前記開孔を通過させて露光することにより、フェースパネルに略ストライプ状の蛍光体ラインを形成する、蛍光体スクリーンの形成方法において、前記フェースパネルに照射される光は、前記ブリッジと対向する箇所において光量分布が最も高い。
【００１１】
このようにすることで、前記蛍光体ラインの前記ブリッジと対向する箇所の幅を他の箇所の幅よりも拡げることができ、容易にカラー受像管の輝度向上を図ることができる。
【００１２】
【発明の実施の形態】
本発明の蛍光体スクリーン面の形成方法について図を用いて説明する。本発明では、露光のシステムを示す図２のように、２つの光源２２ａ、２２ｂをフェースパネル２の中心線を挟んで、形成される蛍光体ラインにほぼ平行な方向へ並べて配し（注：緑色の蛍光体ラインを形成する場合である。青色または赤色の蛍光体ラインを形成する際はフェースパネルと光源との相対的位置を若干ずらすため、必ずしも中心線を挟まない場合がある。）、これら２つの光源２２ａ、２２ｂからの光が、補正レンズ系１６とフィルター１７、および色選別電極５の開孔を通過したあとフェースパネル２に到達して露光が行われる。
【００１３】
（第１の実施形態）
本実施形態では、後に蛍光体ラインに置き換わる仮ラインを形成する際、２つの光源を構成するために２つのランプを用いている。図１は、本実施形態において、仮ラインを露光する光についてイメージ的に示した部分拡大断面図である。光源２２ａ、２２ｂは、それぞれ、ランプ２３ａ、２３ｂに光源の大きさを規定するために１つのスリット孔が設けられたスリット板２４ａ、２４ｂが重ねられて構成されている。また、図中の矢印Ａは、形成される仮ラインと平行な方向を示す。
【００１４】
このような２つの光源２２ａ、２２ｂを用いることで、色選別電極５の開孔を通過してフェースパネル２に到達する光の光量分布が、ブリッジと対向する箇所でその光量が最も高くなるように、かつ、全体的な光量が増すようにする。例えば、光源２２ａから開孔９ａを通ってフェースパネル２に到達する光は、破線で示す分布２５のようになる。また、光源２２ｂから開孔９ａの隣の開孔９ｂを通ってフェースパネル２に到達する光も、破線で示す分布２５のようになるため、これら２つの重なった光は実線で示す分布２６を有する。分布２６をもった光は、フェースパネル２のブリッジ１０と対向する箇所で最も光量が多く、また、前述のように２つの光源によってフェースパネルの同一箇所に２つの光の分布が重なって形成されているため、図９を用いて従来技術で説明した分布２１の光に比べて、全体的な光量が多い。
【００１５】
このように、色選別電極のブリッジと対向する位置で最も光量が多くなるので、露光によって形成される仮ラインおよびこれと置き換えられる蛍光体ラインは、ブリッジと対向する箇所で幅の広いラインとなる。また、全体的に光量が多いため、フェースパネルのブリッジと対向する箇所に比べて光量の少ない部分、つまり開孔と対向する部分でも、従来技術のように光源が一つの場合と比べて光量は高く、露光されるには十分な光量が照射される。このため、必ずしも従来技術のように色選別電極又はフェースパネルを往復揺動させなくとも蛍光体ラインを形成することができる。また、光源が複数あることでフェースパネルに到達する光量が増すため、従来技術より露光時間を短縮することもできる。さらに、複数のランプを使用しているため、各ランプへ供給する電力をさほど高くする必要がなく、ランプ寿命を向上させることができるという利点もある。
【００１６】
ここで、画面対角サイズ５１ｃｍのコンピュータモニタ用カラー受像管の蛍光体スクリーンの形成方法における一実施形態について、図１を参照しながら説明する。光源に用いる２つのランプ２３ａ、２３ｂは直管型ランプであり、その長手方向が、形成される蛍光体ラインとほぼ平行になるように配置される。また、２つのランプ２３ａ、２３ｂは、フェースパネル２の中心線を挟んで並んで配置されており、それぞれのランプの中心間距離Ｌ１は６〜１５ｍｍとする。それぞれのランプ２３ａ、２３ｂに重ねられるスリット板２４ａ、２４ｂには、図３に示すように、蛍光体ラインおよびランプの長手方向とほぼ直交する方向に長いスリット孔（縦５〜１５ｍｍ×横２〜５ｍｍ）が１つ形成されている。また、ここで、ランプ２３ａ、２３ｂとスリット板２４ａ、２４ｂとの間隔Ｌ２は０．５ｍｍ、スリット板２４ａ、２４ｂとフェースパネル２との間隔Ｌ３は３００ｍｍ、フェースパネル２と色選別電極５との間隔Ｌ４は６ｍｍとする。なお、Ｌ１〜Ｌ４の数値およびスリット孔の寸法は、カラー受像管のサイズや解像度によって、適宜変更される。
【００１７】
図４は、このような方法で形成された蛍光体ラインを有する蛍光体スクリーンと色選別電極の様子をモデル的に示した図である。色選別電極５には複数の略スロット型の開孔９が形成されており、また、蛍光体スクリーンには、各孔列１１毎に青、緑、赤の蛍光体ライン２７ｂ、２７ｇ、２７ｒがストライプ状に配列されている。それぞれの蛍光体ラインは、色選別電極の開孔同士間のブリッジ１０が投影される箇所ではその幅が広く形成されている。カラー受像管の動作時には、３本の電子ビームが開孔を通過して蛍光体スクリーンへ到達すると、通過ビームによって蛍光体ラインが照射され、照射部分が発光することで画像が映し出される。本実施の形態によれば、ブリッジと対向する箇所で幅の広い蛍光体ラインが形成されるため、カラー受像管の動作時にブリッジの影による非発光部ができても、その付近では蛍光体ラインの幅が広いことにより、非発光部により輝度が下がる分を補償することができる。
【００１８】
（第２の実施形態）
本実施形態では、光源の射出部を２つ設ける構成として、用いるランプを１つとし、これに重ねるスリット板のスリット孔を２つとしている点が、第１の実施形態と異なる。これを図５に示す。なお、このとき、２つのスリット孔がフェースパネルの中心線を蛍光体ラインおよびランプに平行な方向から挟むように、スリット板を配置する。また、２つのスリット孔の中心間距離Ｌ５は、第１の実施形態における２つのランプの中心間距離Ｌ１とほぼ同じとする。
【００１９】
このようにすることで、ランプが１つであっても実質的に光源を２つ設けることができる。これにより、色選別電極の開孔を通過してフェースパネルに到達する光の光量分布が、フェースパネルにおけるブリッジと対向する箇所でその光量が最も高くなるような分布となり、また、全体的な光量が増すので、第１の実施形態と同様にブリッジと対向する箇所で幅の広い蛍光体ラインを容易に形成することができる。
【００２０】
（第３の実施形態）
本実施形態では、第１の実施形態で用いた１つのランプと１つのスリット孔を持つスリット板とからなる光源を１つのみ用いる。この１つの光源を、フェースパネルの中心線からそれぞれほぼ同じ距離の２箇所に、順次一定時間毎に配置し、その都度露光することで、第１および第２の実施形態のように複数個の光源を用いて同時に露光する場合と実質的に同様の作用が得られる。
【００２１】
図６のイメージ図のように、まず光源を一箇所（ａ）に配置し、露光および現像を行う。次に図中（ｂ）の箇所に光源の位置をずらして配置し、再度露光および現像を行う。このとき、光源を配置する箇所（ａ）と（ｂ）での光源の中心間距離Ｌ６は、第１の実施形態における２つのランプの中心間距離Ｌ１、および、第２の実施形態における２つのスリット孔の中心間距離Ｌ５とほぼ同じとする。このようにすることによっても、第１および第２の実施形態と同様に、ブリッジと対向する箇所で幅の広い蛍光体ラインを容易に形成することができる。
【００２２】
【発明の効果】
以上のように、本発明によれば、蛍光体スクリーンの蛍光体ラインの幅を、シャドウマスクと対向する箇所において容易に拡げることができる。このため、カラー受像管の動作時にブリッジの影による非発光部ができても、その付近では蛍光体ラインの幅が広いことにより、非発光部により輝度が下がる分を補償することができ、輝度向上を図ることができる。
【図面の簡単な説明】
【図１】第１の実施形態における露光の様子を示すイメージ図
【図２】本発明の蛍光体スクリーンの形成方法における露光システムを示す概略図
【図３】第１の実施形態における露光に用いるスリット板とランプを示す図
【図４】本発明によって形成される蛍光体スクリーンと色選別電極を示すモデル図
【図５】第２の実施形態における露光に用いるスリット板とランプを示す図
【図６】第３の実施形態における露光の様子を示すイメージ図
【図７】一般的なカラー受像管の概略断面図
【図８】一般的なカラー受像管の蛍光体スクリーンと色選別電極を示すモデル図
【図９】従来技術における露光システムを示す概略図
【図１０】従来技術における露光の様子を示すイメージ図
【符号の説明】
２　フェースパネル
５　色選別電極
９　開孔
１０　ブリッジ
２２ａ、２２ｂ　光源
２６　光量分布
【図１】
2004031183.tif 000003
【図２】
2004031183.tif 000004
【図３】
2004031183.tif 000005
【図４】
2004031183.tif 000006
【図５】
2004031183.tif 000007
【図６】
2004031183.tif 000008
【図７】
2004031183.tif 000009
【図８】
2004031183.tif 000010
【図９】
2004031183.tif 000011
【図１０】
2004031183.tif 000012